(57)【要約】【課題】合成樹脂材料が充填されていない空洞の発生を防止すると共に薄肉化が可能な射出成形品を低コストに提供する。【解決手段】アウタレンズ１１は、合成樹脂材料の射出成形によって一体形成されており、外周端部が一定肉厚で折り返された形状の折り返し部１１ａを備え、折り返し部１１ａの全体形状は、外周端側に向かって幅が狭くなるテーパー状に形成されている。【選択図】  図１
2013240911.tif 000002
【特許請求の範囲】
【請求項１】
合成樹脂材料の射出成形によって一体形成されており、外周端部が一定肉厚で折り返された形状の折り返し部を備え、
前記折り返し部の全体形状は、外周端側に向かって幅が狭くなるテーパー状に形成された射出成形品。
【請求項２】
前記折り返し部の内側に形成された補強用リブを備えた、請求項１に記載の射出成形品。
【請求項３】
前記折り返し部の先端部から外側に突出するように形成されたフランジを備えた、請求項１または請求項２に記載の射出成形品。
【請求項４】
前記折り返し部は、断面略Ｕ字状または断面略Ｖ字状である、請求項１〜３のいずれか１項に記載の射出成形品。
【請求項５】
請求項１〜４のいずれか１項に記載の射出成形品と、
外周端部に取付溝が穿設された被着部材と、
前記射出成形品と前記被着部材とを接着固定する接着剤と
を用いる射出成形品の取付構造であって、
前記被着部材の取付溝に前記接着剤を注入した状態で、前記射出成形品の前記折り返し部を前記取付溝に嵌合し、前記折り返し部の外周面と前記取付溝の内周面とを前記接着剤で接着固定することにより、前記被着部材に対して前記射出成形品を液密状態に取付固定する、射出成形品の取付構造。
【発明の詳細な説明】
【技術分野】
【０００１】
本発明は射出成形品および射出成形品の取付構造に関するものである。
【背景技術】
【０００２】
従来より、前面カバーとしても機能するアウタレンズと、アウタレンズの後部側を覆うハウジングとを備えた車両用前照灯（ヘッドランプ）では、アウタレンズが合成樹脂材料の射出成形によって一体形成された射出成形品によるものがある（例えば、特許文献１参照）。
また、ハウジングについても、アウタレンズと同様に、合成樹脂材料の射出成形によって一体形成された射出成形品によるものがある。
【０００３】
ハウジングに対してアウタレンズを液密状態に取付固定するには、ハウジングの外周端部に断面Ｕ字状の取付溝を穿設しておき、その取付溝に接着剤を注入した状態でアウタレンズの外周端部を嵌合し、ハウジングの取付溝とアウタレンズの外周端部とを接着剤で接着固定する。
【先行技術文献】
【特許文献】
【０００４】
【特許文献１】特開２００９−９６１０５号公報
【発明の概要】
【発明が解決しようとする課題】
【０００５】
近年、車両用前照灯を軽量化するため、アウタレンズの厚み（肉厚）を薄肉化することが要求されている。
しかし、射出成形の金型を抜き易くするためには、アウタレンズの外周端部の断面形状を外周端側（先端側）に向かって幅が狭くなるテーパー状にする必要があることから、テーパー状に形成する分だけアウタレンズが厚肉化するという問題がある。
【０００６】
また、アウタレンズを薄肉化すると、射出成形時に合成樹脂材料が充填されない空洞（一般に「パック」と呼ばれる）が発生し易くなるという問題がある。
特に、アウタレンズとハウジングとの接着部分に雨水や洗浄水が直接当たらないようにするため、アウタレンズにおけるハウジングとの嵌合部分にフランジ（鍔）を設けた場合には、フランジの付け根部分が合成樹脂材料の肉溜まりとなることから、射出成形時に合成樹脂材料がフランジに早く流れ込むのに比べて、アウタレンズの意匠面部分に合成樹脂材料が流れ込むのが遅れ、射出成形の金型内における合成樹脂材料の合流箇所に空洞が発生し易くなる。
【０００７】
これらの問題は、車両用前照灯に限らず、２つの射出成形品を液密状態に取付固定する際に、一方の射出成形品の外周端部に断面Ｕ字状の取付溝を穿設しておき、その取付溝に接着剤を注入した状態で他方の射出成形品の外周端部を嵌合し、一方の射出成形品の取付溝と他方の射出成形品の外周端部とを接着剤で接着固定する場合には、同様に起こり得るものである。
【０００８】
本発明は前記問題を解決するためになされたものであって、以下の目的を有するものである。
（１）合成樹脂材料が充填されていない空洞の発生を防止すると共に薄肉化が可能な射出成形品を低コストに提供する。
（２）前記（１）の射出成形品を被着部材に対して液密状態に取付固定するための取付構造を提供する。
【課題を解決するための手段】
【０００９】
本発明者らは前記課題を解決するために鋭意検討を重ねた結果、下記のように本発明の各局面に想到した。
【００１０】
＜第１の局面＞
第１の局面は、合成樹脂材料の射出成形によって一体形成されており、外周端部が一定肉厚で折り返された形状の折り返し部を備え、前記折り返し部の全体形状は、外周端側に向かって幅が狭くなるテーパー状に形成された射出成形品である。
【００１１】
第１の局面によれば、射出成形の際に、折り返し部を形成するための第１金型と、折り返し部以外の部分を形成するための第２金型とを用意し、第１金型または第２金型のいずれか一方を固定型とし他方を可動型とする単純な２分割金型構成を採用すればよいため、製造コストを低コスト化できる。
【００１２】
第１の局面によれば、折り返し部の全体形状がテーパー状に形成されているため、第１金型を抜き易くすることができる。
そして、折り返し部は射出成形品の外周端部が一定肉厚で折り返された形状であり肉厚が変化しないため、折り返し部の全体形状をテーパー状に形成した上で、薄肉化することが可能であり、射出成形品を軽量化できる。
また、折り返し部を含めて射出成形品の全体を一定肉厚に形成すれば、薄肉化しても射出成形時に合成樹脂材料が充填されない空洞（パック）の発生を防止できる。
【００１３】
＜第２の局面＞
第２の局面は、第１の局面において、前記折り返し部の内側に形成された補強用リブを備えた射出成形品である。
第２の局面によれば、補強リブが折り返し部を補強するため、射出成形品を薄肉化しても、最も変形しやすい外周端部の変形を確実に防止できる。
【００１４】
＜第３の局面＞
第３の局面は、第１または第２の局面において、前記折り返し部の先端部から外側に突出するように形成されたフランジを備えた射出成形品である。
第３の局面によれば、射出成形品の折り返し部を被着部材の取付溝に嵌合させて接着固定した場合に、射出成形品に吹きかけられた雨水や洗浄水がフランジによって妨げられ、射出成形品と被着部材との接着部分に雨水や洗浄水が直接当たらないため、射出成形品と被着部材とを液密状態に取付固定する際の液密性を向上できる。
【００１５】
また、フランジの付け根部分である折り返し部の先端部が厚肉化せず、その先端部に合成樹脂材料の肉溜まりが生じないため、射出成形時に合成樹脂材料がフランジに流れ込む速さと、合成樹脂材料がアウタレンズの意匠面部分に流れ込む速さとが略同一になり、射出成形の金型内における合成樹脂材料の合流箇所に空洞が発生するのを防止できる。
【００１６】
＜第４の局面＞
第４の局面は、第１〜３の局面において、前記折り返し部は、断面略Ｕ字状または断面略Ｖ字状である射出成形品である。
第４の局面によれば、第１の局面の前記作用・効果が更に確実に得られる。
【００１７】
＜第５の局面＞
第５の局面は、第１〜４の局面の射出成形品と、外周端部に取付溝が穿設された被着部材と、前記射出成形品と前記被着部材とを接着固定する接着剤とを用いる射出成形品の取付構造であって、前記被着部材の取付溝に前記接着剤を注入した状態で、前記射出成形品の前記折り返し部を前記取付溝に嵌合し、前記折り返し部の外周面と前記取付溝の内周面とを前記接着剤で接着固定することにより、前記被着部材に対して前記射出成形品を液密状態に取付固定する、射出成形品の取付構造である。
第５の局面によれば、射出成形品と被着部材とを液密状態に取付固定する取付構造を実現できる。
【図面の簡単な説明】
【００１８】
【図１】本発明を具体化した第１実施形態の車両用前照灯１０の要部縦断面図であり、図２におけるＸ−Ｘ矢示断面図。
【図２】車両用前照灯１０の一部透視要部側面図であり、図１における矢印Ａ方向から見た一部透視要部側面図。
【図３】従来の車両用前照灯１００の要部縦断面図。
【図４】車両用前照灯１０を射出成形するための金型Ｋａ，Ｋｂの要部縦断面図。
【図５】本発明を具体化した第２実施形態の車両用前照灯２０の要部縦断面図。
【図６】本発明を具体化した第３実施形態の車両用前照灯３０の要部縦断面図。
【発明を実施するための形態】
【００１９】
以下、本発明を具体化した各実施形態について図面を参照しながら説明する。尚、各実施形態において、同一の構成部材および構成要素については符号を等しくすると共に、同一内容の箇所については重複説明を省略する。
また、各図面では、説明を分かり易くするために、各実施形態の構成部材の寸法形状および配置箇所を誇張して模式的に図示してある。
【００２０】
＜第１実施形態＞
図１および図２に示すように、第１実施形態の車両用前照灯１０は、アウタレンズ（射出成形品）１１と、アウタレンズ１１の後部側を覆うハウジング（被着部材）１２と、アウタレンズ１１とハウジング１２とを接着固定する接着剤１３とを備えている。
車両用前照灯１０の前面カバーとしても機能するアウタレンズ１１は透明な合成樹脂材料の射出成形によって一体形成された射出成形品であり、ハウジング１２は不透明な合成樹脂材料の射出成形によって一体形成された射出成形品である。
【００２１】
アウタレンズ１１は、折り返し部１１ａ、面状体１１ｂ〜１１ｄ、補強用リブ１１ｅ、フランジ（鍔）１１ｆを備えている。
折り返し部１１ａは、アウタレンズ１１の外周端部の全周に設けられ、一定肉厚の面状体１１ｂ〜１１ｄが折り返された断面略Ｕ字状に形成されている。
折り返し部１１ａの全体形状は、アウタレンズ１１の外周端側（先端側）に向かって幅が狭くなるテーパー状に形成されている。
【００２２】
曲板状の面状体１１ｂ，１１ｃは、所定角度を成して対向するように配置形成されている。
平板状の面状体１１ｄは面状体１１ｂ，１１ｃの外周端部間を接続するように配置形成されており、面状体１１ｄはアウタレンズ１１の外周端面を構成するため、面状体１１ｄの幅ｔはテーパー状の折り返し部１１ａの最小幅となる。
【００２３】
フランジ１１ｆは、折り返し部１１ａの外側に位置する面状体１１ｃの先端部に設けられ、面状体１１ｃの面方向に交差して折り返し部１１ａの外側に突出するように配置形成されている。
フランジ１１ｆは、面状体１１ｂ〜１１ｄと同じ一定肉厚の平板状である。
フランジ１１ｆはアウタレンズ１１の外周端部の全周に設けられているわけではなく、フランジ１１ｆが設けられていない部分（例えば、図２に示す部分α）もある。
【００２４】
一定肉厚で平板状の補強用リブ１１ｅは、折り返し部１１ａの内側における複数箇所に設けられ（図２では２箇所のみ図示）、面状体１１ｂ，１１ｃ間を繋いで固定するように配置形成されている。
ハウジング１２の外周端部には、断面略Ｕ字状の取付溝１２ａが穿設されており、平板状の面状体１２ｂによって取付溝１２ａの底部が形成されている。
【００２５】
ハウジング１２に対してアウタレンズ１１を液密状態に取付固定するには、ハウジング１２の取付溝１２ａに接着剤１３を注入した状態で、アウタレンズ１１の折り返し部１１ａを取付溝１２ａに嵌合し、折り返し部１１ａの外周面と取付溝１２ａの内周面とを接着剤１３で接着固定する。
このとき、接着剤１３は、折り返し部１１ａの外周面と取付溝１２ａの内周面との間を隙間無く塞ぐため、確実な液密状態が得られる。
【００２６】
図３に示すように、従来の車両用前照灯１００は、アウタレンズ１０１と、アウタレンズ１０１の後部側を覆うハウジング１２と、アウタレンズ１０１とハウジング１２とを接着固定する接着剤１３とを備えている。
アウタレンズ１０１は、透明な合成樹脂材料の射出成形によって一体形成されている。
アウタレンズ１０１の外周端部の全体形状は、アウタレンズ１０１の外周端側に向かって幅が狭くなるテーパー状に形成されている。
アウタレンズ１０１の外周端部において、テーパー状の根本部分（ハウジング１２との嵌合部分）にはフランジ１１ｆが形成されている。
【００２７】
［第１実施形態の作用・効果］
第１実施形態によれば、以下の作用・効果を得ることができる。
【００２８】
［１］アウタレンズ１１を射出成形する際には、図４に示すように、折り返し部１１ａを形成するための第１金型Ｋａと、折り返し部１１ａ以外の部分を形成するための第２金型Ｋｂとを用意し、第１金型Ｋａを固定型とし、第２金型Ｋｂを可動型として矢印Ｂ−Ｂ’方向に可動させる単純な２分割金型構成を採用すればよいため、アウタレンズ１１の製造コストを低コスト化できる。
尚、第１金型Ｋａを可動型として矢印Ｂ−Ｂ’方向に可動させ、第２金型Ｋｂを固定型としてもよい。
【００２９】
［２］折り返し部１１ａの全体形状がテーパー状に形成されているため、図４に示す第１金型Ｋａを抜き易くすることができる。
そして、折り返し部１１ａはアウタレンズ１１の外周端部が一定肉厚で折り返された形状であり、折り返し部１１ａを構成する面状体１１ｂ〜１１ｄの肉厚が変化しないため、折り返し部１１ａの全体形状をテーパー状に形成した上で、図３に示す従来のアウタレンズ１０１に比べて、アウタレンズ１１を薄肉化することが可能であり、アウタレンズ１１を軽量化できる。
また、折り返し部１１ａを含めてアウタレンズ１１全体を一定肉厚に形成すれば、薄肉化しても射出成形時に合成樹脂材料が充填されない空洞（パック）の発生を防止できる。
【００３０】
［３］折り返し部１１ａの内側に形成された補強用リブ１１ｅによって折り返し部１１ａが補強されるため、アウタレンズ１１を薄肉化しても、最も変形しやすい外周端部の変形を確実に防止できる。
【００３１】
［４］折り返し部１１ａの先端部から外側に突出するようにフランジ１１ｆが形成されている。
そのため、雨水（特に高速走行時の雨水）や洗浄水（特に高圧洗車機から放出された洗浄水）が車両用前照灯１０に吹きかけられたとき、その雨水や洗浄水はフランジ１１ｆによって妨げられ、アウタレンズ１１とハウジング１２との接着部分に雨水や洗浄水が直接当たらないため、アウタレンズ１１とハウジング１２との液密性を向上できる。
【００３２】
尚、アウタレンズ１１の外周端部にてフランジ１１ｆが設けられていない部分（図２に示す部分α）については、水が直接当たり難い箇所に配置しておくことにより、当該部分αが車両用前照灯１０の液密性を阻害するのを防止できる。
【００３３】
［５］図３に示す従来のアウタレンズ１０１では、フランジ１１ｆの付け根部分βが合成樹脂材料の肉溜まりとなることから、射出成形時に合成樹脂材料がフランジ１１ｆに早く流れ込むのに比べて、アウタレンズ１０１の意匠面部分に合成樹脂材料が流れ込むのが遅れ、射出成形の金型内における合成樹脂材料の合流箇所（図示略）に空洞が発生し易くなる。
【００３４】
それに対して、第１実施形態のアウタレンズ１１では、フランジ１１ｆの付け根部分である折り返し部１１ａの先端部が厚肉化せず、その先端部に合成樹脂材料の肉溜まりが生じないため、射出成形時に合成樹脂材料がフランジ１１ｆに流れ込む速さと、合成樹脂材料がアウタレンズの意匠面部分に流れ込む速さとが略同一になり、射出成形の金型内における合成樹脂材料の合流箇所に空洞が発生するのを防止できる。
【００３５】
［６］折り返し部１１ａは一定肉厚の面状体１１ｂ〜１１ｄが折り返された断面略Ｕ字状に形成され、面状体１１ｄはアウタレンズ１１の外周端面を構成するため、面状体１１ｄの幅ｔはテーパー状の折り返し部１１ａの最小幅となる。
ここで、面状体１１ｄの幅ｔを大きくするほど、面状体１１ｄの外周面と接着剤１３との接触面積が増大するため接着性および液密性が向上する上に、折り返し部１１ａをハウジング１２の取付溝１２ａに嵌合させる作業が容易になるという利点がある反面、折り返し部１１ａが大型化して合成樹脂材料の量も多く必要になるため製造コストが増大するという欠点がある。
従って、面状体１１ｄの幅ｔについては、車両用前照灯１０の寸法形状に合わせて、実験的に最適値を求めて設定すればよい。
【００３６】
＜第２実施形態＞
図５に示すように、第２実施形態の車両用前照灯２０は、アウタレンズ１１、ハウジング１２、接着剤１３を備えている。
車両用前照灯２０のアウタレンズ１１は、折り返し部１１ａ、面状体１１ｂ，１１ｃ、補強用リブ１１ｅ、フランジ１１ｆを備えている。
車両用前照灯２０において、第１実施形態の車両用前照灯１０と異なるのは、面状体１１ｄが省かれており、折り返し部１１ａが断面略Ｖ字状に形成されている点だけである。
従って、第２実施形態によれば、第１実施形態の前記［１］〜［５］と同様の作用・効果が得られる。
【００３７】
＜第３実施形態＞
図６に示すように、第３実施形態の車両用前照灯３０は、アウタレンズ１１、ハウジング１２、接着剤１３を備えている。
車両用前照灯３０のアウタレンズ１１は、折り返し部１１ａ、面状体１１ｂ〜１１ｄ、補強用リブ１１ｅを備えている。
車両用前照灯３０において、第１実施形態の車両用前照灯１０と異なるのは、フランジ１１ｆが省かれている点だけである。
従って、第３実施形態によれば、第１実施形態の前記［１］〜［３］［６］と同様の作用・効果が得られる。
【００３８】
＜別の実施形態＞
本発明は前記各実施形態に限定されるものではなく、以下のように具体化してもよく、その場合でも、前記各実施形態と同等もしくはそれ以上の作用・効果を得ることができる。
【００３９】
［Ａ］フランジ１１ｆをアウタレンズ１１の外周端部の全周に設けてもよく、その場合には前記［４］の作用・効果を更に確実に得られる。
［Ｂ］ハウジング１２は、射出成形品に限らずどのように具体化してもよく、例えば、金属板のプレス加工品によって具体化してもよい。
［Ｃ］前記各実施形態を適宜組み合わせて実施してもよく、その場合には組み合わせた実施形態の作用・効果を合わせもたせたり、相乗効果を得ることができる。
【００４０】
本発明は、前記各局面および前記各実施形態の説明に何ら限定されるものではない。特許請求の範囲の記載を逸脱せず、当業者が容易に想到できる範囲で種々の変形態様も本発明に含まれる。本明細書の中で明示した論文、公開特許公報、特許公報などの内容は、その全ての内容を援用によって引用することとする。
【符号の説明】
【００４１】
１０，２０，３０…車両用前照灯１０
１１…アウタレンズ（射出成形品）
１２…ハウジング（被着部材）
１３…接着剤
１１ａ…折り返し部
１１ｂ〜１１ｄ…面状体
１１ｅ…補強用リブ
１１ｆ…フランジ
【図１】
2013240911.tif 000003
【図２】
2013240911.tif 000004
【図３】
2013240911.tif 000005
【図４】
2013240911.tif 000006
【図５】
2013240911.tif 000007
【図６】
2013240911.tif 000008